【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
ガラス物品の形成方法であって、
第１のガラスシート（１０）を提供することと、
前記第１のガラスシート（１０）を成形に好適な温度に加熱することと、
前記第１のガラスシート（１０）を第１の曲げツール（３２）に堆積させることであって、前記第１のガラスシート（１０）の縁部（１８）が前記第１の曲げツール（３２）の成形面（３６）の上に配置され、前記第１の曲げツール（３２）の前記成形面（３６）が前記第１のガラスシート（１０）に圧縮領域（４２）および張力領域（４４）を提供するように構成された、堆積させることと、
前記第１のガラスシート（１０）を前記第１の曲げツール（３２）上で成形し、前記第１のガラスシート（１０）の前記縁部（１８）に前記圧縮領域（４２）を形成することであって、前記圧縮領域（４２）が第１の部分（４８）および第２の部分（５０）を含み、前記第１の部分（４８）が、前記第２の部分（５０）の幅（Ｗ２）より大きい幅（Ｗ１）を有する、形成することと、を含む、方法。
【請求項２】
前記張力領域（４４）が、前記第１のガラスシート（１０）の前記縁部（１８）の内側に位置する前記第１のガラスシート（１０）の第２の部分（３８）に形成され、移行部（４６）が、前記第１のガラスシート（１０）の第３の部分（４０）に形成される、請求項１に記載の方法。
【請求項３】
電気部品（２０６、２０６Ａ）を前記圧縮領域（４２）の前記第１の部分（４８）の上に位置決めすることと、前記電気部品（２０６、２０６Ａ）を、はんだ付けプロセスによって前記第１のガラスシート（１０）と機械的に連通させることと、をさらに含む、請求項１に記載の方法。
【請求項４】
前記第１のガラスシート（１０）を第２のガラスシート（１２）に積層することをさらに含む、請求項１記載の方法。
【請求項５】
前記圧縮領域（４２）が、前記第１のガラスシート（１０）の前記縁部（１８）を、前記第１のガラスシート（１０）の前記縁部（１８）と前記第１の曲げツール（３２）との間の接触を介して冷却することによって形成される、請求項１に記載の方法。
【請求項６】
前記第１の曲げツール（３２）の前記成形面（３６）が、第１の区分（５８）を含み、前記圧縮領域（４２）の前記第１の部分（４８）の内側端部（９２）が、前記第１の区分（５８）の内側縁部（８６）に隣接し、その結果、移行部（４６）が、前記第１の区分（５８）の前記内側縁部（８６）の内側に位置する前記第１のガラスシート（１０）の部分（４０）に形成されるようになる、請求項１に記載の方法。
【請求項７】
前記第１の曲げツール（３２）の前記成形面（３６）が、第１の区分（５８）を含み、前記第１の区分（５８）が、前記圧縮領域（４２）の前記第１の部分（４８）の前記幅より大きい第１の幅（ＷＦＳ）を含む、請求項１に記載の方法。
【請求項８】
前記圧縮領域（４２）の前記第１の部分（４８）の前記幅（Ｗ１）が、前記圧縮領域（４２）の前記第１の部分（４８）の内側にある前記第１のガラスシート（１０）に形成された移行部（４６）の部分の幅より大きい、請求項１に記載の方法。
【請求項９】
前記第１のガラスシート（１０）の前記縁部（１８）を、前記第１のガラスシート（１０）の前記縁部（１８）と第２の曲げツール（９６）との間の接触を介して冷却することをさらに含む、請求項５に記載の方法。
【請求項１０】
移行部（４６）を、前記第１のガラスシート（１０）の前記縁部（１８）に隣接する前記第１のガラスシート（１０）の部分（４０）に形成することをさらに含み、前記第１のガラスシート（１０）の前記部分（４０）が、前記第１の曲げツール（３２）の上に配置されるが接触はしない、請求項５に記載の方法。
【請求項１１】
移行部（４６）を、前記第１のガラスシート（１０）の前記縁部（１８）に隣接する前記第１のガラスシート（１０）の部分（４０）に形成することをさらに含み、間隔（８８）が、前記第１のガラスシート（１０）の前記部分（４０）と、前記第１の曲げツール（３２）とを分離する、請求項５に記載の方法。
【請求項１２】
ガラス物品（２００）であって、
第１のガラスシート（１０）であって、圧縮領域（４２）および前記第１のガラスシート（１０）に形成された引張領域（４４）を含み、前記圧縮領域（４２）が、２０〜１００ＭＰａの圧縮領域応力を呈し、前記第１のガラスシート（１０）の縁部（１８）に形成され、前記圧縮領域（４２）が、第１の部分（４８）および第２の部分（５０）を含み、前記第１の部分（４８）が、第２の部分（５０）の幅（Ｗ２）より大きい幅（Ｗ１）を有する、第１のガラスシート（１０）を含む、ガラス物品。
【請求項１３】
前記引張領域（４４）が、前記第１のガラスシート（１０）の第２の部分（５０）に形成され、前記第１のガラスシート（１０）の前記第２の部分（５０）が、前記第１のガラスシート（１０）の前記縁部（１８）の内側に位置し、移行部（４６）が、前記第１のガラスシート（１０）中、前記第１のガラスシート（１０）の第３の部分（４０）に形成される、請求項１２に記載のガラス物品。
【請求項１４】
前記圧縮領域（４２）の前記第１の部分（４８）の上に位置決めされ、前記第１のガラスシート（１０）と機械的に連通する、第１の端子コネクタ（２０６、２０６Ａ）をさらに含む；又は、前記第１のガラスシート中の移行部（４６）が、前記第１のガラスシート（１０）と機械的に連通する第１の端子コネクタ（２０６、２０６Ａ）の内側にある、請求項１２に記載のガラス物品。
【請求項１５】
前記第１のガラスシート（１０）の前記縁部（１８）が、第１の縁部（５４）および第２の縁部（５６）を含み、前記圧縮領域（４２）の前記第１の部分（４８）が、前記第１の縁部（５４）に形成され、前記圧縮領域（４２）の前記第２の部分（５０）が、前記第２の縁部（５６）に形成される、請求項１２に記載のガラス物品。
【請求項１６】
前記第１のガラスシート（１０）の移行部（４６）が、第１の部分（１２６）を含み、前記第１の部分（１２６）が、前記第１のガラスシート（１０）の前記縁部（１８）から延在し、第２の部分（１２８）が、前記第１の部分（１２６）と平行な関係で設けられ、前記第２の部分（１２８）が、前記第１のガラスシート（１０）の前記縁部（１８）から延在し、第３の部分（１３０）が、前記第１の部分（１２６）を前記第２の部分（１２８）に接続する、請求項１２に記載のガラス物品。
【請求項１７】
前記第１のガラスシート（１０）の前記縁部（１８）が、第１の縁部（５４）を含み、前記圧縮領域（４２）の前記第１の部分（４８）および前記圧縮領域（４２）の前記第２の部分（５０）が、前記第１の縁部（５４）に形成される；又は、
前記第１のガラスシート（１０）の移行部（４６）が、０ＭＰａの領域応力を呈し、前記引張領域（４４）が、８ＭＰａ未満の引張領域応力を呈する；又は、
前記第１のガラスシート（１０）と第２のガラスシート（１２）との間に設けられたポリマー中間層（２０２）をさらに含む、請求項１２に記載のガラス物品。
【請求項１８】
前記第１のガラスシート中の移行部（４６）が、前記第１のガラスシート（１０）と機械的に連通する第１の端子コネクタ（２０６、２０６Ａ）の内側にあり、前記第１の端子コネクタ（２０６）と離間した関係にある第２の端子コネクタ（２０６Ａ）をさらに含む、又は、
前記第１の端子コネクタ（２０６、２０６Ａ）が、前記第１のガラスシート（１０）の周縁部（２０）の一部分（２１４）と、離間した平行な関係にある、請求項１２に記載のガラス物品。
【請求項１９】
前記圧縮領域（４２）の前記第１の部分（４８）が、前記圧縮領域（４２）の前記第２の部分（５０）と離間した関係にある；又は、
前記圧縮領域（４２）の前記第１の部分（４８）が、前記圧縮領域（４２）の前記第２の部分（５０）に隣接する；又は、
前記圧縮領域（４２）の前記第１の部分（４８）が、前記第１のガラスシート（１０）の周縁部（２０）から前記圧縮領域（４２）の前記第２の部分（５０）まで延在する；又は、
前記圧縮領域（４２）の前記第１の部分（４８）から前記圧縮領域（４２）の前記第２の部分（５０）への移行部（４６）が、鋭く画定されている；又は、
前記第１のガラスシート（１０）の移行部（４６）が湾曲部分を含む；又は、
前記第１のガラスシート（１０）の移行部（４６）が直線部分を含む、請求項１５に記載のガラス物品。
【請求項２０】
前記第３の部分（１３０）が、前記第１の部分（１２６）および前記第２の部分（１２８）と垂直な関係で設けられている、請求項１６に記載のガラス物品。